(57)【要約】【課題】本発明は、転倒を防止できるものであって、ゴミ箱の移動等の操作がし易く、しかも製作コストを抑えることができるゴミ箱の提供を目的とする。【解決手段】車輪が付設されたゴミ箱本体２と、転倒防止部材４と、ゴミ箱本体２が設置面１１０に設置された状態において鉛直方向に対して傾斜した軸心をもつ連結軸５とを備えている。転倒防止部材４は、軸連結部４１と、設置面当接部４２とを備え、そして、軸連結部４１は、連結軸５の軸心回りに回動し得るように連結軸５に連結されることにより、設置面当接部４２が設置面１１０と当接した当接姿勢と離間姿勢とに切換可能とされている。【選択図】図１
2014152006.tif 000002
【特許請求の範囲】
【請求項１】
ゴミ箱本体と、前記ゴミ箱本体の下部に設けられた車輪とを備えたゴミ箱において、
前記ゴミ箱本体の下部に回動可能に取り付けられるとともに、ゴミ箱本体の側方に突出して当該ゴミ箱本体の転倒を防止する転倒防止部材を更に備え、
この転倒防止部材は、前記ゴミ箱本体が設置面に設置された状態で、その回動軸を鉛直方向に対して上方に向かうに従って前記突出方向に傾斜させることにより、突出部分の一部が前記設置面に当接する当接姿勢と、当該当接部分の一部が前記設置面から離間した離間姿勢とに回動して切換可能であることを特徴とするゴミ箱。
【請求項２】
前記ゴミ箱本体は、底壁とこの底壁の周縁部から立ち上がる側壁とを備えた上方開口型のものであり、
前記側壁は、側壁本体と、この側壁本体の上部に前記転倒防止部材の突出方向に突設された突出部とを有し、
この突出部には、前記ゴミ箱本体の開口部を開閉する蓋体が回動自在に取り付けられていることを特徴とする請求項１記載のゴミ箱。
【請求項３】
前記転倒防止部材は、前記当接姿勢において、その先端部が側面視において前記突出部の先端部よりも前記側壁本体側に配置されていることを特徴とする請求項２記載のゴミ箱。
【請求項４】
前記ゴミ箱本体は、前記底壁から下方に突設されるとともに、前記当接姿勢の前記転倒防止部材の突出方向と反対側の前記転倒防止部材の一端部に当接して前記転倒防止部材からの荷重を受ける受け部を備えていることを特徴とする請求項２又は３記載のゴミ箱。
【請求項５】
前記底壁は、底壁本体と、この底壁本体と一体成形されて前記底壁本体から下方に突設された連結軸本体とを含み、
前記転倒防止部材は、外周面が前記回動軸と軸心を同じくして当該転倒防止部材と摺接する係止円筒状部材を介して前記連結軸本体に取り付けられていることを特徴とする請求項２〜４のいずれか一項に記載のゴミ箱。
【発明の詳細な説明】
【技術分野】
【０００１】
本発明は、ゴミ箱に関するものである。
【背景技術】
【０００２】
従来から、ゴミを収納するゴミ収納部を有するゴミ箱は、種々提案されている。例えば特許文献１には、ゴミ収納部を有するゴミ箱本体と、ゴミ箱本体の開口部の近くに形成され、ゴミ収納部に入れたゴミ袋を固定する固定構造とを備えたゴミ箱が開示されている。又、例えば特許文献２には、ゴミ収納部を有するゴミ箱本体と、開口部に嵌合する枠体と、枠体に回動可能に取り付けられた蓋とを備えたゴミ箱が開示されている。このようなゴミ箱において、移動の便を考慮して車輪を備えたものも知られている。しかし、このようなゴミ収納部を有するゴミ箱本体を備えたゴミ箱においては、例えばゴミ箱本体の上部側に、ゴミ収納部の内から外向きの力がかかると、ゴミ箱が転倒するおそれがある。
【０００３】
そこで、この転倒を防止するようにしたゴミ箱１００が実施されている。このゴミ箱１００は、例えば図１９に示すように、ゴミ箱本体１０１の底壁１０２における前部側に、樹脂製のケーシング内に砂鉄を入れるようにして形成した錘部材１０３をボルト１０４によって取り付けたものである。
【先行技術文献】
【特許文献】
【０００４】
【特許文献１】特開２０１０−５８９７６号公報
【特許文献２】特開２０１１−２５６０４０号公報
【発明の概要】
【発明が解決しようとする課題】
【０００５】
しかしながら、図１９に示すような錘部材１０３をゴミ箱本体１０１の底壁１０２に取り付けていると、ゴミ箱１００全体の重量が重くなってしまい、移動等の取扱い操作がし難いものになってしまう。又、錘部材１０３の製作コストが高くついてしまう。
【０００６】
本発明は、転倒を防止できるものであって、ゴミ箱の移動等の操作がし易く、しかも製作コストを抑えることができるゴミ箱の提供を目的とする。
【課題を解決するための手段】
【０００７】
上記課題を解決するため、本発明のゴミ箱は、ゴミ箱本体と、前記ゴミ箱本体の下部に設けられた車輪とを備えたゴミ箱において、前記ゴミ箱本体の下部に回動可能に取り付けられるとともに、ゴミ箱本体の側方に突出して当該ゴミ箱本体の転倒を防止する転倒防止部材を更に備え、この転倒防止部材は、前記ゴミ箱本体が設置面に設置された状態で、その回動軸を鉛直方向に対して上方に向かうに従って前記突出方向に傾斜させることにより、突出部分の一部が前記設置面に当接する当接姿勢と、当該当接部分の一部が前記設置面から離間した離間姿勢とに回動して切換可能であることを特徴とする。
【０００８】
この構成によれば、ゴミ箱本体の上部側に内から外向きの力がかかった場合には、転倒防止部材がゴミ箱本体を支え、ゴミ箱の転倒を防止できる。これにより、転倒防止部材を、従来の錘に比して重量の軽いものにできる。したがって、従来の錘を付設したもののようにゴミ箱全体の重量が重くなって移動等の取り扱い操作をし難いものになるようなことを防止でき、又、従来の錘を付設したもの比して低コストで製作できる。
【０００９】
一方、ゴミ箱を車輪により転がり走行させて移動させる場合は、転倒防止部材を、突出部分の一部が設置面に当接する当接姿勢から回動操作して、設置面から離間した離間姿勢に切換る。これにより、車輪による移動に際して転倒防止部材が地面に干渉して邪魔になるようなことを防止でき、ゴミ箱を車輪によって円滑に転がり走行できる。
【００１０】
上記ゴミ箱において、前記ゴミ箱本体は、底壁とこの底壁の周縁部から立ち上がる側壁とを備えた上方開口型のものであり、前記側壁は、側壁本体と、この側壁本体の上部に前記転倒防止部材の突出方向に突設された突出部とを有し、この突出部には、前記ゴミ箱本体の開口部を開閉する蓋体が回動自在に取り付けられていることが好ましい。
【００１１】
この構成によれば、蓋体が回動自在に取り付けられている場合には、蓋体の開放に伴う反動によりゴミ箱本体が転倒し易いが、このように構成した場合には、蓋体を開放する際も転倒防止部材によりゴミ箱本体の転倒を効果的に防止できる。しかも、このようなゴミ箱においては、突出部側を背面として設置する場合が多いが、当接姿勢にある転倒防止部材を背面側に隠すことができ、外観が良好なものにできる。
【００１２】
上記ゴミ箱において、前記転倒防止部材は、前記突出姿勢において、その先端部が側面視において前記突出部の先端部よりも前記ゴミ箱本体側に配置されていることが好ましい。
【００１３】
この構成によれば、ゴミ箱を壁際に配置する場合にも、転倒防止部材が邪魔になることが無く、既存の設置スペースに設置できる。
【００１４】
上記ゴミ箱において、前記ゴミ箱本体は、前記底壁から下方に突設されるとともに、前記当接姿勢の前記転倒防止部材の突出方向と反対側の前記転倒防止部材の一端部に当接して前記転倒防止部材からの荷重を受ける受け部を備えていることが好ましい。
【００１５】
この構成によれば、ゴミ箱本体から転倒防止部材の基端部にかかる荷重を受け部で受けることができ、転倒防止部材の一端部とゴミ箱本体との連結部が破損するようなおそれの少ないものにできる。
【００１６】
上記ゴミ箱において、前記底壁は、底壁本体と、この底壁本体と一体成形されて前記底壁本体から下方に突設された連結軸本体とを含み、前記転倒防止部材は、外周面が前記回動軸と軸心を同じくして当該転倒防止部材と摺接する係止円筒状部材を介して前記連結軸本体に取り付けられていることが好ましい。
【００１７】
この構成によれば、連結軸本体を、ゴミ箱本体と型による一体成形によって同時に成形でき、連結軸本体を、ゴミ箱本体に連結した状態で容易に低コストで製作できる。
【００１８】
又、転倒防止部材は、係止円筒状部材を介して連結軸本体に取り付けられるため、転倒防止部材を連結軸本体に容易に取り付けることが可能になる。
【発明の効果】
【００１９】
本発明のゴミ箱は、転倒を防止でき、ゴミ箱の移動等の操作がし易く、しかも製作コストを抑えることができるものである。
【図面の簡単な説明】
【００２０】
【図１】本発明のゴミ箱の一実施形態の縦断面図である。
【図２】図１のゴミ箱の要部の底面図である。
【図３】図２のＩＩＩ−ＩＩＩ線断面図である。
【図４】図１のゴミ箱のゴミ箱本体の側面図である。
【図５】図４のゴミ箱本体の平面図である。
【図６】図４のゴミ箱本体の底面図である。
【図７】図６のＶＩ−ＶＩ線に沿う要部の断面図である。
【図８】図１のゴミ箱の蓋体の平面図である。
【図９】図８のＩＸ−ＩＸ線面図である。
【図１０】図１のゴミ箱における連結軸の係止円筒状部材の側面図である。
【図１１】図１０の係止円筒状部材の底面図である。
【図１２】図１０のＸＩＩ−ＸＩＩ線断面図である。
【図１３】図１のゴミ箱における転倒防止部材の平面図である。
【図１４】図１３の転倒防止部材の側面図である。
【図１５】図１３のＸＶ−ＸＶ線断面図である。
【図１６】図１の状態から転倒防止部材を回動操作してゴミ箱本体の凹部内に入れた状態の背面図である。
【図１７】図１の状態から蓋体を開けた状態の説明図である。
【図１８】図１７のＸＶＩＩＩ−ＸＶＩＩＩ線断面図である。
【図１９】従来例の説明図である。
【発明を実施するための形態】
【００２１】
以下、本発明を実施するための形態について、図面を参照しながら詳細に説明する。図１は、本発明のゴミ箱の一実施形態の縦断面図、図２は、図１のゴミ箱の要部の底面図、図３は、図２のＩＩＩ−ＩＩＩ線断面図である。尚、図のＸ方向を前方側とし、Ｙ方向を後方側として説明する。
【００２２】
この実施形態のゴミ箱１は、図１〜図３に示すようにゴミ箱本体２と、蓋体３と、ゴミ箱本体２の転倒を防止するための転倒防止部材４とを備えている。
【００２３】
ゴミ箱本体２は、図４〜図６に示すように、方形状の底壁２２と、底壁の周縁部から立ち上がるように形成された左右の両側壁２３ａ、２３ｂ及び前後の両側壁２３ｃ、２３ｄとを備え、これらが合成樹脂によって一体成形されている。そして、これらによって上方が開口されたゴミ収納部２１が区画形成され、その開口からゴミをゴミ収納部２１に投入できるようになっている。
【００２４】
又、ゴミ箱本体２は、下方部における前端から後方部にかけて、床面等の設置面１１０に設置される被設置部２０を備えている。この被設置部２０は、底壁２２から下方に延設されるようにして形成されている。そして、この被設置部２０が設置面１１０に設置されると、ゴミ収納部２１の軸心Ｏ１が鉛直方向に略一致するようになっている。
【００２５】
又、ゴミ箱本体２における被設置部２０の後方側の左右両側に、左右一対の車輪１１が転がり可能に付設されている。この実施形態では、車輪１１は、その下端がゴミ箱本体２の被設置部２０の下端と略同高さ位置になるように設定されている。なお、車輪１１は、２個、備えるものに限らず、１つ又は３つ以上、設けてもよい。又、車輪１１は、いわゆる輪状のものでなく、ボールキャスターのような球状のものであってもよい。
【００２６】
ゴミ箱本体２の底壁２２は、この実施形態では、底壁本体２２ｂと、転倒防止部材４を連結する連結軸５とを備えている。
【００２７】
底壁本体２２ｂは、板状に形成され、その後部における車輪１１の間に、底壁２２の一部を段部を介して上方側に窪ませるようにして形成された凹部２４が設けられている。そして、この凹部２４内に、車輪１１を連結する車軸が配置されている。
【００２８】
連結軸５は、図３に示すように底壁本体２２ｂにおける凹部２４を形成した凹部底壁２２ａの後方側の左右中央にその凹部底壁２２ａから下方に略筒状に突設された連結軸本体６と、連結軸本体６に係止された係止円筒状部材７とを備えている。
【００２９】
連結軸本体６は、この実施形態では、底壁本体２２ｂとこの連結軸本体６とが、底壁本体２２ｂから下方側に型抜き（型開き）して成形型によって一体成形されるようにして構成されており、図６、図７に示すように、連結軸本体６の外面全体が、底壁本体２２ｂから下方に向かってアンダーカットがない形状、即ち、底壁本体２２ｂから下方に向かって水平方向に窪んだ凹部及び水平方向に突出した凸部がない形状に形成されている。
【００３０】
換言すれば、この実施形態の連結軸本体６の外面は、底壁本体２２ｂから下方側に型抜きできるように、底壁本体２２ｂから下方に向かって、鉛直方向に対して抜き勾配αを持たせるように形成した部分と、鉛直方向に沿って形成した部分（抜き勾配αが「０」になる部分）とで構成されている。
【００３１】
尚、連結軸本体６は、下方側に型抜きできるようにするために、上記のように外面が抜き勾配αを持つ部分と抜き勾配αが「０」になる部分とで構成される形態のものに限らず、例えば外面全体を鉛直方向に対して抜き勾配αを持つように形成して外面が全面にわたって下方から視認可能に構成してもよく、適宜変更し得る。
【００３２】
又、この実施形態では、連結軸本体６は、係止円筒状部材７の内周を当接させて係止円筒状部材７を内側方側から受ける内周受け部６２ｂと、後述の係止円筒状部材７の位置決め用当接部７５ａを内上方側から受ける軸端面受け部６２ｄとを備えている。
【００３３】
係止部材受け部６２ｂは、この実施形態では、図３、図７に示すように、ゴミ収納部２１の軸心Ｏ１に対して傾斜しこの連結軸５の軸心Ｏ２と一致する傾斜軸心Ｏ３を持つ略半円筒体に形成されている。この実施形態では、傾斜軸心Ｏ３、即ち、連結軸５の軸心Ｏ２は、ゴミ収納部２１の軸心Ｏ１に対して略１５°傾斜してゴミ収納部２１の軸心Ｏ１に対して上方に向かって斜め後方側に傾斜している。
【００３４】
尚、この実施形態では、係止部材受け部６２ｂの一部に、肉盗みや軽量化等のために外周から径内側に窪まされるようにして形成された肉盗み用凹部６２ｃが設けられている。ただし、肉盗み用凹部６２ｃは、設けないものでもよく、適宜変更できる。
【００３５】
軸端面受け部６２ｄは、連結軸本体６の突出先端面の全体によって形成されている。又、軸端面受け部６２ｄは、係止部材受け部６２ｂの傾斜軸心Ｏ３と垂直な垂直面に形成されている。
【００３６】
又、この軸端面受け部６２ｄには、係止用ネジ部６１が設けられている。この係止用ネジ部６１は、ネジ孔６１ａと、ネジ孔６１ａの内周に形成された雌ネジ６１ｂとを備えている。ネジ孔６１ａは、軸端面受け部６２ｄからゴミ収納部２１の軸心Ｏ１に平行な軸線ｐに沿って、軸端面受け部６２ｄから所定の深さで形成されている。
【００３７】
そして、この実施形態の連結軸本体６は、対向する２つの型によって、ネジ孔６１ａが形成された状態でゴミ箱本体２と一体成形されている。これにより、連結軸本体６は、ゴミ箱本体２に連結された状態で容易に製作される。
【００３８】
係止円筒状部材７は、図１０〜図１２に示すように、上部側に形成された円筒状部７３と、下部側に形成された円板状の係止部７４とを備えている。
【００３９】
円筒状部７３は、その外周面の全体が、転倒防止部材４の軸連結部４１を回動自在に保持する保持部７３ａをなしており、図３に示すようにその軸心が連結軸５の軸心Ｏ２と一致するように配設されている。
【００４０】
又、円筒状部７３は、その内周部が、連結軸本体６が嵌挿される連結軸本体挿入部７３ｂをなしている。
【００４１】
係止部７４は、連結軸本体６に係止円筒状部材７を固定的に係止する等するためのもので、この実施形態の係止部７４は、図１２の左端側から右端側に漸次厚さが厚くなって水平状の上面に対して下面が左下がりに傾斜するように形成されている。
【００４２】
この係止部７４は、保持部７３ａに保持した転倒防止部材４の軸連結部４１を支持する支持部７４ａと、連結軸本体６の軸端面受け部６２ｄと当接する位置決め用当接部７５ａとを備えている。
【００４３】
支持部７４ａは、円筒状部７３の下端の外周から全周にわたって径方向に突設されている。また、位置決め用当接部７５ａは、保持部７３ａの軸心と垂直な垂直面に形成され、円筒状部７３の下端の内側を塞ぐように内側全体に配設されている。
【００４４】
又、位置決め用当接部７５ａには、係止用ボルト挿通孔７５ｂが設けられている。係止用ボルト挿通孔７５ｂは、その軸心が係止部７４の下面と垂直で円筒状部７３の保持部７３ａの軸心と角度をなすようにして、その下面から位置決め用当接部７５ａに貫通するように形成されている。
【００４５】
このように構成された係止円筒状部材７は、図３に示すように、後述の転倒防止部材４の軸連結部４１を保持部７３ａに保持した状態で、連結軸本体６が連結軸本体挿入部７３ｂに挿入される。又、その挿入に際して、係止部材受け部６２ｂに円筒状部７３の内周部が当接されるとともに、位置決め用当接部７５ａが軸端面受け部６２ｄに当接されるまで挿入される。
【００４６】
これにより、係止円筒状部材７は、連結軸本体６に対して位置決めされ、この状態で、図３に示すように円筒状部７３の保持部７３ａが連結軸本体６の係止部材受け部６２ｂの傾斜軸心Ｏ３と同心になるとともに、係止部７４の下面が水平状態になる。又、係止用ボルト挿通孔７５ｂの軸方向がゴミ収納部２１の軸心Ｏ１に沿う方向に一致した状態になるとともに、係止用ボルト挿通孔７５ｂが連結軸本体６の係止用ネジ部６１に位置合わせされる。
【００４７】
従って、連結軸本体６の係止部材受け部６２ｂと軸端面受け部６２ｄとは、係止円筒状部材７の連結軸本体６に対する位置決め部として機能し、単に係止部材受け部６２ｂに円筒状部７３の内周部を当接させるとともに、位置決め用当接部７５ａを軸端面受け部６２ｄに当接させるだけで係止円筒状部材７の連結軸本体６に対する所定の位置に配置でき、組み付け作業を容易なものにできる。
【００４８】
そして、連結軸本体６が連結軸本体挿入部７３ｂに挿入された状態で、係止用ボルト８が係止用ボルト挿通孔７５ｂに挿通され、その挿通された係止用ボルト８が係止用ネジ部６１に締結される。これにより、係止円筒状部材７２と連結軸本体６とが係止用ボルト８を介して結合され、その結合された係止円筒状部材７２と連結軸本体６とで１つの連結軸５が形成される。
【００４９】
そして、連結軸本体６の係止部材受け部６２ｂの傾斜軸心Ｏ３が連結軸５の軸心Ｏ２となり、その連結軸５の軸心Ｏ２がゴミ収納部２１の軸心Ｏ１に対して上方に向かって斜め後方側に傾斜している。
【００５０】
又、この実施形態では、図６に示すように凹部底壁２２ａにおける連結軸本体６の全周部に、連結軸本体６を囲むように形成された円形状の周溝２４ａが形成されている。そして、その周溝２４ａの一部に、周溝２４ａから下方に突出するように形成された位置決め用突部２９が形成されている。
【００５１】
又、ゴミ箱本体２の凹部底壁２２ａにおける連結軸５の前方側に、後述の転倒防止部材４の軸連結部（転倒防止部材４の一端部）４１と当接してその転倒防止部材４の軸連結部４１からの荷重を受ける受け部１９が形成されている。この受け部１９は、図２に示すように底面視で、その軸連結部４１の外周形状と同形状の円弧状に、凹部底壁２２ａから下方に突設されている。
【００５２】
又、この実施形態では、受け部１９は、図３に示すように上方に行くに従い、漸次厚さが厚くなるように形成されている。尚、この受け部１９は、軸連結部４１に荷重がかかっていない状態で軸連結部４１と当接してもよいが、軸連結部４１と若干の隙間を設けてもよく、適宜変更できる。
【００５３】
又、ゴミ箱本体２の後側壁２３ｄは、側壁本体２３ｅと、その側壁本体２３ｅの上部に、蓋体３を取り付ける蓋体取付部２５とを備えている。この実施形態の蓋体取付部２５は、図４〜図６に示すように側壁本体２３ｅから後方側に所定の左右の幅で突設された突出部２６と、突出部２６の左右両側に形成された蓋開閉用回動軸部２７とを備えている。
【００５４】
蓋開閉用回動軸部２７は、それぞれ、蓋体３を回動自在に取り付けて蓋体３がゴミ箱本体２の開口を閉鎖する閉塞状態と平面視において開口と重複しない全開状態との間で回動可能にするものであり、この実施形態の蓋開閉用回動軸部２７は、後述の突出部２６の蓋体対向面２６ａから左方向、右方向のそれぞれに突出するように形成されている。
【００５５】
突出部２６は、側壁本体２３ｅよりもやや狭い左右幅で形成されており、その左右の両端のそれぞれに、蓋体３と対向した平面状の蓋体対向面２６ａを備えている。
【００５６】
蓋体対向面２６ａは、それぞれ、蓋開閉用回動軸部２７の軸方向と垂直な垂直面をなしている。又、蓋体対向面２６ａには、それぞれ、第２突部２８ａ、２８ｂが設けられている。
【００５７】
第２突部は、蓋体対向面２６ａのそれぞれにおける蓋開閉用回動軸部２７の上方側に、蓋開閉用回動軸部２７と同方向に蓋体対向面２６ａから突出するように形成された前第２突部２８ａ及びその前第２突部２８ａの後方側に配設された後第２突部２８ｂとの２つを備えている。
【００５８】
前第２突部２８ａと後第２突部２８ｂとは、夫々、蓋開閉用回動軸部２７の径方向に沿って所定の幅で所定の長さに延された長尺状に形成されている。
【００５９】
そして、これらの前第２突部２８ａと後第２突部２８ｂとは、互いの間に後述の第１突部３２ｂが入り込み可能な間隙２８ｃが形成されるように、互いに前後方向に所定の距離をもって配設されている。
【００６０】
蓋体３は、図１に示すようにゴミ収納部２１の開口の全体を上方から塞ぐことができる大きさのものから構成されており、図７、図８に示すように、その前端側に蓋体操作部３０を、その後端側に、蓋体取付部２５に回動自在に取り付けられる本体取付部３１を、それぞれ、備えている。
【００６１】
本体取付部３１は、蓋体取付部２５の蓋体対向面２６ａのそれぞれと略平行状態で対向する本体対向面３２を備えている。
【００６２】
又、この本体対向面３２には、蓋開閉用回動軸部２７が回動自在に嵌挿される軸嵌挿凹部３２ａと、第２突部２８ａ、２８ｂと係脱自在に係止する第１突部３２ｂとが設けられている。この軸嵌挿凹部３２ａは、本体対向面３２から断面円形状に凹まされるように形成されている。
【００６３】
そして、この軸嵌挿凹部３２ａにゴミ箱本体２の蓋開閉用回動軸部２７が回動自在に嵌挿され、これにより、本体対向面３２と蓋体対向面２６ａとが対向する。又、その状態で、蓋体３がゴミ箱本体２に対して蓋開閉用回動軸部２７を回動軸に回動し、蓋体３がゴミ箱本体２の開口を閉鎖する閉塞状態と平面視において開口と重複しない全開状態との間で回動可能にする。この実施形態では、蓋体３は、閉塞状態から、蓋体３の蓋体操作部３０がゴミ箱本体２の後側壁２３ｄの後方側に回された全開状態までの範囲を回動するようになっている。
【００６４】
第１突部３２ｂは、本体対向面３２における軸嵌挿凹部３２ａの前方側に、本体対向面３２から、対向する蓋体対向面２６ａ側に突出するようにして形成されている。又、第１突部３２ｂは、軸嵌挿凹部３２ａ（軸嵌挿凹部３２ａが嵌挿された蓋開閉用回動軸部２７）の略径方向に沿って所定の幅で所定の長さに延された長尺状のものから構成されている。
【００６５】
この第１突部３２ｂの本体対向面３２からの突出量は、図１０に示すように、蓋体３の本体取付部３１がゴミ箱本体２の蓋体取付部２５に取り付けられて第１突部３２ｂと第２突部２８ａ、２８ｂとに力がかかっていない通常状態で、蓋体対向面２６ａから第２突部２８ａ、２８ｂの先端までの距離Ｌ１よりも蓋体対向面２６ａから第１突部３２ｂまでの距離Ｌ２が短くなるように設定されている。
【００６６】
そして、蓋体３の閉塞状態からの回動操作に伴って第１突部３２ｂが前第２突部２８ａと当接し、その当接状態から更に回動操作されると、第２突部２８ａ、２８ｂと第１突部３２ｂと本体取付部３１と蓋体取付部２５との少なくとも１つが弾性変形して第１突部３２ｂがその前第２突部２８ａを乗り越えて間隙２８ｃに入り込み、その入り込んだ状態で係止する。又、その係止状態から蓋体３の回動操作に伴い、第１突部３２ｂが第２突部２８ａ、２８ｂを乗り越えて係止解除できるように形成されている。
【００６７】
又、この実施形態では、蓋体３は、図１に示すように、その前端部に、ゴミ箱本体２の上端と係脱自在に係合する係合片３５を備えている。
【００６８】
次に、転倒防止部材４について説明する。転倒防止部材４は、図１３〜図１５に示すように長尺状の転倒防止部材本体４０と、転倒防止部材本体４０の一端側に形成された軸連結部４１と、転倒防止部材本体４０の他端側に形成され設置面１１０に当接してゴミ箱本体２を支える設置面当接部（突出部分の一部）４２とを備えている。
【００６９】
軸連結部４１は、係止円筒状部材嵌挿孔４１ｃを有する円筒状のものから構成されている。又、軸連結部４１は、上面（軸方向の一端面）に、第１位置決め用凹部４１ａと、第２位置決め用凹部４１ｂとを備えている。
【００７０】
第１位置決め用凹部４１ａは、ゴミ箱本体２が設置面１１０に設置された状態で、設置面当接部４２が設置面１１０に当接する図１に示す当接姿勢に転倒防止部材４を位置決めするためのもので、ゴミ箱本体２の位置決め用突部２９が嵌合可能に、上面から所定の深さで窪まされるように形成されている。
【００７１】
第２位置決め用凹部４１ｂは、ゴミ箱本体２が設置面１１０に設置された状態で、設置面支え部４２が設置面１１０と離間した図１６に示す離間姿勢に位置決めするためのものである。この実施形態の第２位置決め用凹部４１ｂは、第１位置決め用凹部４１ａと同形状に形成され、第１位置決め用凹部４１ａと周方向に、略１／４周、隔てた位置に配設されている。
【００７２】
又、この実施形態の転倒防止部材４の軸連結部４１から設置面当接部の先端までの全長は、図１に示すように転倒防止部材４がゴミ箱本体２に取り付けられて設置面当接部４２が設置面に当接した当接姿勢で、側面視で設置面当接部４２の先端部がゴミ箱本体２の突出部２６の先端部よりも後側壁２３ｄの側壁本体２３ｅ側になるように設定されている。
【００７３】
尚、転倒防止部材４の長さは、上記当接姿勢で、側面視で設置面当接部４２の先端部がゴミ箱本体２の突出部２６の先端部よりも後側壁２３ｄの側壁本体２３ｅ側になる形態のもの限らず、側面視で設置面当接部４２の先端部がゴミ箱本体２の突出部２６の先端部と同じ位置又は突出部２６の先端部よりも後方に突出する形態のものであっても良く、適宜変更できる。
【００７４】
このように構成された転倒防止部材４は、連結軸５の係止円筒状部材７が連結軸本体６に係止されるに先だって、軸連結部４１の係止円筒状部材嵌挿孔４１ｃに連結軸５の保持部７３ａが下方側から嵌挿される（図３、図１２参照）。これにより、図３に示すように軸連結部４１が係止円筒状部材７の支持部７４ａに下方側から抜け止めされた状態で支持され、その状態で、保持部７３ａに回動自在に保持され、係止円筒状部材７が連結軸本体６に係止されるに伴って、ゴミ箱本体２に回動自在に取り付けられる。
【００７５】
そして、ゴミ箱本体２に取り付けられた転倒防止部材４は、図１に示すように、設置面当接部４２が設置面に当接した当接姿勢で、その転倒防止部材本体４０が連結軸５から斜め下方、且つ、図２に示すように後側壁２３ｄと垂直に、後側壁２３ｄの下端から後方に突出し、設置面当接部４２が設置面に当接した当接姿勢になる。又、この当接姿勢で、図１に示すように側面視で設置面当接部４２の先端部はゴミ箱本体２の突出部２６の先端部よりも前方側に配置されている。
【００７６】
又、転倒防止部材４は、軸連結部４１の上面が底壁２２の周溝２４ａに嵌り込んでいる。そして、その設置面当接部４２が設置面１１０に当接した当接姿勢から、連結軸５の軸心Ｏ２を回動軸に回動して、設置面当接部４２が設置面１１０から離間した離間姿勢に切換可能となっている。
【００７７】
この実施形態では、転倒防止部材４は、設置面当接部４２が設置面１１０に当接した図１、図２の当接姿勢から連結軸５の軸心Ｏ２の回りに図２の時計方向に略９０°回動して、設置面当接部４２が凹部２４に殆ど入り込んだ位置まで移動し、位置決め用突部が第２位置決め用凹部４１ｂに嵌り込んで位置決めされる。そして、この状態で、図１６に示すように設置面当接部４２が設置面１１０から所定距離隔てた上方位置に配置される。
【００７８】
以上のように構成されたゴミ箱１は、転倒防止部材４の第１位置決め用凹部４１ａに位置決め用突部２９が嵌り込んで設置面当接部４２が設置面１１０に当接する図１に示す状態にして、被設置部２０が床面等の設置面１１０に設置される。
【００７９】
そして、ゴミ収納部２１にゴミを投入する場合は、蓋体３を閉塞状態から回動操作してゴミ収納部２１の開口を開ける。蓋体３を回動操作するには、係合片３５をゴミ箱本体２から外した状態にして、蓋体３の蓋体操作部３０を把持し、後方側に回動操作する。
【００８０】
これにより、蓋体３は、閉塞状態からゴミ箱本体２の蓋開閉用回動軸部２７を中心に回動し、ゴミ収納部２１の開口が開いていく。そして、蓋体３が回動していくと、第１突部３２ｂが前第２突部２８ａと当接する。
【００８１】
その当接状態から、更に蓋体３が、後方側に回動操作されることにより、前第２突部２８ａと第１突部３２ｂと本体取付部３１と蓋体取付部２５との少なくとも１つが弾性変形して、図１７、図１８に示すように第１突部３２ｂが前第２突部２８ａを乗り越えて前第２突部２８ａと後第２突部２８ｂとの間の間隙２８ｃに入り込む。
【００８２】
そして、この状態で、回動操作した手を蓋体３から離すと、蓋体３には、自重によって、例えば前方向側に回動する力がかかり、第１突部３２ｂが前第２突部２８ａと当接して係止する。これにより、蓋体３は、蓋体操作部３０が本体取付部３１の斜め上方位置になった開状態（この実施形態では、閉塞状態から略８０°回動した状態）を維持する。従って、この状態で、蓋体３から手を離してゴミ収納部２１にゴミを投入できる。
【００８３】
又、この図１７に示す状態から、蓋体３が、再度後方側に回動操作されると、第１突部３２ｂが後第２突部２８ｂと当接する。その当接状態から、更に蓋体３に同方向に力を加えると、第１突部３２ｂが後第２突部２８ｂを乗り越えて係止解除され、蓋体操作部３０がゴミ箱本体２の後側壁２３ｄの後方側まで回りこんだ全開状態にできる。従って、この状態で、例えばゴミ収納部２１に収納したゴミを取り出す場合に、蓋体３が邪魔になることなく容易に取り出すことができる。
【００８４】
一方、図１７に示す状態から、蓋体３の蓋体操作部３０が前方側に回動操作されると、第１突部３２ｂが当接した前第２突部２８ａを乗り越えて係止解除され、蓋体３がゴミ収納部２１の開口を閉めた図１の閉塞状態に戻すことができる。
【００８５】
又、蓋体３がゴミ箱本体２の後側壁２３ｄの後側まで回動するに伴い、ゴミ箱本体２を後方側に転倒させるようなモーメントがゴミ箱本体２にかかる。しかし、本発明においては、そのようなモーメントがゴミ箱本体２にかかると、転倒防止部材４がゴミ箱本体２を後方側から受け、ゴミ箱本体２の転倒を防止できる。
【００８６】
又、受け部１９が当接姿勢の転倒防止部材の突出方向と反対側から転倒防止部材４の軸連結部４１を受けているため、ゴミ箱本体２から転倒防止部材４の設置面当接部４２を介して軸連結部４１にかかる荷重を、連結軸５と共に受け部１９で分散して受けることができ、連結軸５或いは軸連結部４１が破損するおそれの少ないものにできる。
【００８７】
一方、図１７に示す状態から、蓋体３の蓋体操作部３０に、前方側に回動する閉方向に力を加えると、第２突部３２ｂが当接した第１突部２８ａを乗り越え、蓋体３がゴミ収納部２１の開口を閉めた図１の状態にできる。
【００８８】
又、ゴミ箱１を車輪１１により移動させる場合は、設置面当接部４２が設置面１１０に当接した図１に示す当接姿勢から、転倒防止部材４を、連結軸５の軸心Ｏ２の回りに図２の時計方向に略９０°回動させる。これにより、設置面当接部４２が凹部２４に殆ど入り込んだ位置まで移動し、その位置で、第２位置決め用凹部４１ｂに位置決め用突部が嵌り込み、設置面当接部４２を設置面１１０から上方に所定距離隔てた離間位置に係止できる。
【００８９】
又、この状態では、転倒防止部材４は、一対の車輪１１の間に配置されるため、転倒防止部材４を車輪１１に隠すことができ、見栄えのよいものにできる。
【００９０】
この状態で、ゴミ箱本体２の前部をやや上げる。これにより、車輪１１だけが設置面１１０に着いた状態にでき、転倒防止部材４が邪魔になることなく、車輪１１を円滑に転がり走行できる。
【００９１】
尚、上記実施形態では、ゴミ箱１は、蓋体３を備えたものとされているが、この形態のものに限らず、蓋体３を有しないものでもよく、適宜変更できる。
【００９２】
又、上記実施形態では、底壁２２は方形状のものから構成されているが、底壁２２は、例えば円形状、楕円形状、その他の形状でもよく、適宜変更できる。
【００９３】
又、上記実施形態では、連結軸５の連結軸本体６は、ゴミ箱本体２の底壁本体２２ｂと一体成形によって同時に成形されているが、この形態のものに限らず、適宜変更できる。例えば、連結軸本体６は、ゴミ箱本体２と別体のものから構成され、ゴミ箱本体２にボルト等によって取り付けられたものであってもよい。
【００９４】
又、上記実施形態では、底壁本体２２ｂと連結軸本体６とが、底壁本体２２ｂから下方側に型抜きするようにして成形型によって一体成形されているが、この形態のものに限らず、適宜変更できる。例えば連結軸本体６を、底壁本体２２ｂの面に沿って側方側（水平方向）に型抜きするようにして成形型によってゴミ箱本体２の底壁本体２２ｂと一体成形されてもよい。ただし、底壁本体２２ｂから下方側に型抜きする方が、底壁本体２２ｂに沿って水平方向に型抜きする場合に較べて成形型を簡素化でき、一体成形を容易に行い得る点で有利である。
【００９５】
又、連結軸本体６をゴミ箱本体２と別体のものから構成する場合、連結軸本体６は、外面が全面にわたって下方から視認可能に形成されているものでもよいが、視認できない形状のものでもよい。
【００９６】
又、上記実施形態では、連結軸本体６は、係止部材受け部６２ｂと軸端面受け部６２ｄとによって係止円筒状部材７の連結軸本体６に対する位置決めをできるようにしているが、この形態のものに限らず、適宜変更できる。例えば連結軸本体６を、ゴミ箱本体２との一体成形のみを考慮し係止円筒状部材７との位置決め不能なものにしてもよい。
【００９７】
又、上記実施形態では、転倒防止部材４の回動軸は、上方に向かって後方側に傾斜しているが、この形態のものに限らず、後方成分を含むものであれば左右方向にも傾斜するものでもよく、適宜変更できる。
【００９８】
又、上記実施形態では、離間姿勢の転倒防止部材４を、底壁２２の凹部２４に殆ど入るようにしているが、この形態のものに限らず、適宜変更できる。例えば離間姿勢の転倒防止部材４を、底壁２２の凹部２４に完全に入るようにし、或いは、底壁２２の凹部２４に入らずに突出状態にしてもよい。
【００９９】
又、上記実施形態では、当接姿勢の転倒防止部材４を、平面視において、後側壁２３ｄに垂直な状態になるようにしているが、この形態のものに限らず、適宜変更でき、例えば平面視において、後側壁２３ｄに対して斜めになるように配置してもよい。
【符号の説明】
【０１００】
１    ゴミ箱
２    ゴミ箱本体
３    蓋体
４    転倒防止部材
５    連結軸
６    連結軸本体
７    係止円筒状部材
１１    車輪
１９    受け部
２１    ゴミ収納部
４１    軸連結部
４２    設置面支え部
【図１】
2014152006.tif 000003
【図２】
2014152006.tif 000004
【図３】
2014152006.tif 000005
【図４】
2014152006.tif 000006
【図５】
2014152006.tif 000007
【図６】
2014152006.tif 000008
【図７】
2014152006.tif 000009
【図８】
2014152006.tif 000010
【図９】
2014152006.tif 000011
【図１０】
2014152006.tif 000012
【図１１】
2014152006.tif 000013
【図１２】
2014152006.tif 000014
【図１３】
2014152006.tif 000015
【図１４】
2014152006.tif 000016
【図１５】
2014152006.tif 000017
【図１６】
2014152006.tif 000018
【図１７】
2014152006.tif 000019
【図１８】
2014152006.tif 000020
【図１９】
2014152006.tif 000021